【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】  リジューム機能を有する記録媒体に記録された情報を再生する情報再生装置において、前記記録媒体に再生された情報のシーンチェンジを検出するシーンチェンジ検出手段と、リジューム情報と関連して再生停止箇所が属する前記シーンチェンジ検出手段で検出したシーンの先頭箇所を記録する記録手段と、リジューム再生時には、前記記録手段に記録された前記シーンの先頭箇所から記録媒体に記録された情報を再生するように制御する制御手段を備えたことを特徴とする情報再生装置。
【請求項２】  リジューム機能を有する記録媒体に記録された情報を再生する情報再生装置において、前記記録媒体に再生された情報のシーンチェンジを検出するシーンチェンジ検出手段と、リジューム情報と関連して再生停止箇所が属する前記シーンチェンジ検出手段で検出したシーンの先頭箇所から再生停止箇所までの再生情報を記録するデータ記録手段と、リジューム再生時には、前記データ記録手段から前記シーンの先頭箇所から再生停止箇所までの記録情報を再生し、該再生停止箇所からは記録媒体に記録された記録情報を再生するよう制御する制御手段とを備えたことを特徴とする情報再生装置。
【請求項３】  リジューム機能を有する記録媒体に記録された情報を再生する情報再生装置において、前記記録媒体に再生された情報のシーンチェンジを検出するシーンチェンジ検出手段と、リジューム情報と関連して再生停止箇所から該再生停止箇所が属する前記シーンチェンジ検出手段で検出したシーンの先頭箇所までの時間情報を記録する記録手段と、リジューム再生時には、前記再生停止箇所から前記記録手段に記録された時間情報だけ遡り、記録媒体に記録された情報を再生するよう制御する再生制御手段とを備えたことを特徴とする情報再生装置。
【請求項４】  リジューム機能を有する記録媒体に記録された情報を再生する情報再生装置において、前記記録媒体に再生された情報のシーンチェンジを検出するシーンチェンジ検出手段と、リジューム情報と関連して、それまで再生された前記シーンチェンジ検出手段で検出した全てのシーン切り替わり箇所を記録する記録手段と、リジューム再生時には、前記記録手段に記憶されたシーン切り替わり箇所のうち任意のシーン先頭箇所から、記録媒体に記録された情報を再生するよう制御する再生制御手段とを備えたことを特徴とする情報再生装置。
【請求項５】  リジューム機能を有する記録媒体に記録された情報を再生する情報再生装置において、前記記録媒体に再生された情報のシーンチェンジを検出するシーンチェンジ検出手段と、リジューム再生時には、記憶媒体の初めから、再生停止箇所が属する前記シーンチェンジ検出手段で検出したシーン先頭箇所まで早送り再生を行い、該シーン先頭箇所から通常再生するよう制御する再生制御手段を備えたことを特徴とする情報再生装置。
【請求項６】  リジューム機能を有する記録媒体に記録された情報を再生する情報再生装置において、前記記録媒体に再生された情報のシーンチェンジを検出するシーンチェンジ検出手段と、リジューム再生時には、再生停止箇所が属する前記シーンチェンジ検出手段で検出したシーンの先頭箇所から該再生停止箇所まで早送り再生を行い、該再生停止箇所から通常再生するよう制御する再生制御手段を備えたことを特徴とする情報再生装置。
【手続補正２】
【補正対象書類名】明細書
【補正対象項目名】０００６
【補正方法】変更
【補正の内容】
【０００６】
【課題を解決するための手段】
本発明は、リジューム機能を有する記録媒体に記録された情報を再生する情報再生装置において、前記記録媒体に再生された情報のシーンチェンジを検出するシーンチェンジ検出手段と、リジューム情報と関連して再生停止箇所が属する前記シーンチェンジ検出手段で検出したシーンの先頭箇所を記録しておいて、リジューム再生時には、前記記録手段に記録された前記シーンの先頭箇所から記録媒体に記録された情報を再生するようにしたものである。
【手続補正３】
【補正対象書類名】明細書
【補正対象項目名】０００７
【補正方法】変更
【補正の内容】
【０００７】
更に、本発明は、前記記録媒体に再生された情報のシーンチェンジを検出するシーンチェンジ検出手段と、リジューム情報と関連して再生停止箇所が属する前記シーンチェンジ検出手段で検出したシーンの先頭箇所から再生停止箇所までの再生情報を記録し、リジューム再生時には、前記データ記録手段から前記シーンの先頭箇所から再生停止箇所までの記録情報を再生し、該再生停止箇所からは記録媒体に記録された記録情報を再生するようにしたものである。
【手続補正４】
【補正対象書類名】明細書
【補正対象項目名】０００８
【補正方法】変更
【補正の内容】
【０００８】
更に、本発明は、前記記録媒体に再生された情報のシーンチェンジを検出するシーンチェンジ検出手段と、リジューム情報と関連して再生停止箇所から該再生停止箇所が属する前記シーンチェンジ検出手段で検出したシーンの先頭箇所までの時間情報を記録し、リジューム再生時には、前記再生停止箇所から前記記録手段に記録された時間情報だけ遡り、記録媒体に記録された情報を再生するようにしたものである。
更に、本発明は、前記記録媒体に再生された情報のシーンチェンジを検出するシーンチェンジ検出手段と、リジューム情報と関連して、それまで再生された前記シーンチェンジ検出手段で検出した全てのシーン切り替わり箇所を記録し、リジューム再生時には、前記記録手段に記憶されたシーン切り替わり箇所のうち任意のシーン先頭箇所から、記録媒体に記録された情報を再生するようにしたものである。
【手続補正５】
【補正対象書類名】明細書
【補正対象項目名】０００９
【補正方法】変更
【補正の内容】
【０００９】
更に、本発明は、前記記録媒体に再生された情報のシーンチェンジを検出するシーンチェンジ検出手段と、リジューム再生時、記憶媒体の初めから、再生停止箇所が属する前記シーンチェンジ検出手段で検出したシーン先頭箇所まで早送り再生を行い、該シーン先頭箇所から通常再生するようにしたものである。
【手続補正６】
【補正対象書類名】明細書
【補正対象項目名】００１０
【補正方法】変更
【補正の内容】
【００１０】
更に、本発明は、前記記録媒体に再生された情報のシーンチェンジを検出するシーンチェンジ検出手段と、リジューム再生時、再生停止箇所が属する前記シーンチェンジ検出手段で検出したシーンの先頭箇所から該再生停止箇所まで早送り再生を行い、該再生停止箇所から通常再生するようにしたものである。
【手続補正７】
【補正対象書類名】明細書
【補正対象項目名】００４７
【補正方法】変更
【補正の内容】
【００４７】
【発明の効果】
本発明によれば、リジューム情報に、再生停止箇所が属するシーンの先頭箇所を記録しておくことにより、前回の再生と今回の再生に時間的間隔が空いている等、前回の再生情報の記憶が曖昧な場合、再生停止箇所が属するシーン先頭箇所からの再生を行うことより、前回の再生情報の把握ができる。
【手続補正８】
【補正対象書類名】明細書
【補正対象項目名】００４８
【補正方法】変更
【補正の内容】
【００４８】
更に、本発明によれば、再生停止箇所が属するシーン先頭箇所から再生停止箇所までの再生情報を記録しておくことにより、記録媒体にアクセスせずに、簡単に再生停止箇所までの再生情報の復活ができ、容易に前回の再生情報の把握ができる。
【手続補正９】
【補正対象書類名】明細書
【補正対象項目名】００４９
【補正方法】変更
【補正の内容】
【００４９】
更に、本発明によれば、前記再生情報の記録の代わりにシーンの先頭箇所から再生停止箇所までの時間情報を記録することにより、メモリ容量占有率を軽減することができる。
更に、本発明によれば、前回再生時に再生し、再生停止までのシーン先頭箇所をすべて記録することにより、初めからシーン先頭箇所を計算するよりも時間的、ＣＰＵ能力的に負荷を軽減することができる。
【手続補正１０】
【補正対象書類名】明細書
【補正対象項目名】００５０
【補正方法】変更
【補正の内容】
【００５０】
更に、本発明によれば、記録媒体の初めからシーン先頭箇所まで早送り再生することで、それまでの再生した全体の情報の把握が容易にできるとともに、シーン先頭箇所から通常再生を行うことにより前回再生情報がより正確に把握できる。
更に、本発明によれば、再生停止箇所が属するシーン先頭箇所から再生停止箇所まで早送り再生することで、より短時間に前回再生情報の把握が容易になる。